(57)【要約】      （修正有）【課題】排泄された大便が着用者の股間部や臀部に付着することはなく、大便による着用者の肌の汚れを防ぐことができる使い捨て着用物品を提供する。【解決手段】着用物品２０Ａでは、防漏シート３４の可動部４０の頂点４３どうしの横方向Ｍの離間寸法が固定後端部４２の側から固定前端部４１の側に向かって次第に大きくなり、頂点の間から露出する表面シート２９が固定後端部の側から固定前端部の側に向かって末広がりに延びている。固定後端部の側に延びる可動部の間には、可動部どうしを横方向へ引き寄せる端部シート４５が伸縮可能に取り付けられている。端部シートは、疎水性繊維不織布と、横方向へ延びるように繊維不織布に取り付けられた伸縮性弾性部材とから形成され、透液性表面シートと防漏シートとの間で可動部に接合された固定両端部４９と、固定両端部の間に延びる自由中間部５０とを有する。【選択図】図１
2011104397.tif 000002
【特許請求の範囲】
【請求項１】
肌当接面および非肌当接面を有し、前記肌当接面の側に透液性表面シートが位置する一方、前記非肌当接面の側に不透液性裏面シートが位置し、
前胴周り域および後胴周り域と、それら胴周り域の間に位置する股下域と、横方向へ延びる両端部および縦方向へ延びる両側部とを有し、
前記前後胴周り域と前記股下域とのうちの少なくとも該股下域の前記肌当接面における前記両側部の縦方向へ延びる液抵抗性防漏シートそれぞれが配置され、前記防漏シートそれぞれが、前記両側部に位置して縦方向へ延びる固定部と、前記固定部に並行して縦方向へ延びていて前記肌当接面の上方へ起立性向を有する伸縮性可動部と、前記可動部の縦方向両側に位置して横方向へ倒伏した固定前後端部とから形成される使い捨て着用物品において、
前記可動部の頂点どうしの横方向の離間寸法が、前記固定後端部の側から前記固定前端部の側に向かって次第に大きくなり、前記可動部の頂点の間から露出する前記肌当接面が、前記固定後端部の側から前記固定前端部の側に向かって末広がりに延び、
疎水性繊維不織布と、前記横方向へ延びるように前記繊維不織布に取り付けられた伸縮性弾性部材とから形成され、前記後胴周り域における前記可動部の間に配置されて該可動部どうしを横方向へ引き寄せる伸縮性端部シートを有し、
前記伸縮性端部シートは、前記透液性表面シートと前記防漏シートとの間で前記可動部に接合された固定両端部と、前記固定両端部の間に延びる自由中間部とを有することを特徴とする前記着用物品。
【請求項２】
前記後胴周り域の前記両側部それぞれには雄型メカニカルファスナであるテープファスナを設けてある一方、前記前胴周り域の前記非肌当接面には前記雄型メカニカルファスナが係合する雌型メカニカルファスナであって前記横方向へ延びるターゲットテープを設けてあり、前記テープファスナを前記ターゲットテープに止着することで前記前胴周り域と前記後胴周り域とを連結し、
前記ターゲットテープと前記防漏シートの前記可動部の頂点とは、前記裏面シートおよび前記表面シートを介してこれらシートの厚さ方向に重なり、
前記伸縮性端部シートの前記横方向の長さ寸法が、前記ターゲットテープの前記横方向の長さ寸法よりも狭い請求項１記載の着用物品。
【発明の詳細な説明】
【技術分野】
【０００１】
本発明は、排泄された尿や大便を処理するための使い捨て着用物品に関する。
【背景技術】
【０００２】
透液性表面シートおよび不透液性裏面シートと、それらシートの間に介在する吸液性コアとから形成され、縦方向に前胴周り域および後胴周り域と、それら胴周り域の間に位置する股下域とを有し、横方向へ所定寸法離間して縦方向へ延びる一対の液抵抗性防漏シートと縦方向へ所定寸法離間して横方向へ延びる一対の液抵抗性仕切シートとが取り付けられた使い捨ておむつがある（特許文献１参照）。
【０００３】
防漏シートは、おむつの両側部に接合されて縦方向へ延びる固定部と、固定部に並行して縦方向へ延びていて表面シートの上方へ起立性向を有する可動部と、横方向内方へ倒伏して前後胴周り域に接合された固定前後端部とから形成されている。可動部の頂点には、縦方向へ延びる伸縮性弾性部材が収縮可能に取り付けられている。防漏シートの可動部は、尿や大便の横方向への流動を阻止する障壁を形成し、尿や大便が両側部からおむつの外側に漏れてしまうことを防止する。仕切シートは、股下域の縦方向中央に配置され、表面シートに固定された固定端部と、固定端部の上方に位置して両側が防漏シートの可動部に固定された自由部とを有する。自由部の頂点には、横方向へ延びる伸縮性弾性部材が収縮可能に取り付けられている。仕切シートの自由部は、防漏シートの可動部の起立にともなって表面シートの上方へ起立し、前胴周り域から後胴周り域への尿の流動や後胴周り域から前胴周り域への大便の流動を阻止する障壁を形成する。
【特許文献１】特開平８−３２２８７８号公報
【発明の開示】
【発明が解決しようとする課題】
【０００４】
特許文献１に開示のおむつでは、防漏シートの可動部が大便の横方向への流動を阻止する障壁として機能したとしても、可動部が排泄された大便をその上方から包被することはないから、おむつに排泄された大便がそれら防漏シートの間から露出し、大便が着用者の股間部や臀部に容易に接触してしまう。排泄された大便が着用者の股間部や臀部に接触すると、大便が股間部や臀部に付着し、おむつに保持されるべき大便によって着用者の肌が広範囲に汚れてしまう場合がある。
【０００５】
本発明の目的は、排泄された大便が着用者の股間部や臀部に付着することはなく、大便による着用者の肌の汚れを防ぐことができる使い捨て着用物品を提供することにある。
【課題を解決するための手段】
【０００６】
前記課題を解決するための本発明の前提は、肌当接面および非肌当接面を有し、前記肌当接面の側に透液性表面シートが位置する一方、前記非肌当接面の側に不透液性裏面シートが位置し、前胴周り域および後胴周り域と、それら胴周り域の間に位置する股下域と、横方向へ延びる両端部および縦方向へ延びる両側部とを有し、前記前後胴周り域と前記股下域とのうちの少なくとも該股下域の前記肌当接面における前記両側部の縦方向へ延びる液抵抗性防漏シートそれぞれが配置され、前記防漏シートそれぞれが、前記両側部に位置して縦方向へ延びる固定部と、前記固定部に並行して縦方向へ延びていて前記肌当接面の上方へ起立性向を有する伸縮性可動部と、前記可動部の縦方向両側に位置して横方向へ倒伏した固定前後端部とから形成される使い捨て着用物品である。
【０００７】
前記前提における本発明の特徴は、前記可動部の頂点どうしの横方向の離間寸法が、前記固定後端部の側から前記固定前端部の側に向かって次第に大きくなり、前記可動部の頂点の間から露出する前記肌当接面が、前記固定後端部の側から前記固定前端部の側に向かって末広がりに延び、疎水性繊維不織布と、前記横方向へ延びるように前記繊維不織布に取り付けられた伸縮性弾性部材とから形成され、前記後胴周り域における前記可動部の間に配置されて該可動部どうしを横方向へ引き寄せる伸縮性端部シートを有し、前記伸縮性端部シートは、前記透液性表面シートと前記防漏シートとの間で前記可動部に接合された固定両端部と、前記固定両端部の間に延びる自由中間部とを有するものである。
【０００８】
本発明の実施態様の一例は、前記後胴周り域の前記両側部それぞれには雄型メカニカルファスナであるテープファスナを設けてある一方、前記前胴周り域の前記非肌当接面には前記雄型メカニカルファスナが係合する雌型メカニカルファスナであって前記横方向へ延びるターゲットテープを設けてあり、前記テープファスナを前記ターゲットテープに止着することで前記前胴周り域と前記後胴周り域とを連結し、前記ターゲットテープと前記防漏シートの前記可動部の頂点とは、前記裏面シートおよび前記表面シートを介してこれらシートの厚さ方向に重なり、前記伸縮性端部シートの前記横方向の長さ寸法が、前記ターゲットテープの前記横方向の長さ寸法よりも狭いものである。
【発明の効果】
【０００９】
本発明に係る使い捨て着用物品によれば、肌当接面と防漏シートの固定後端部の側に延びる可動部との間に大便が納まる大便収容空間が形成され、物品の着用中に排泄された大便が可動部の頂点どうしの間を通って大便収容空間に納まり、防漏シートの固定後端部の側に延びる可動部が大便をその上方から包被する。物品は、大便が防漏シートの間から露出し難く、着用者の股間部や臀部に対する大便の付着を防ぐことができ、大便による着用者の肌の汚れを防ぐことができる。この物品は、可動部の頂点どうしの横方向の離間寸法が固定後端部の側から固定前端部の側に向かって次第に大きくなり、防漏シートの間から露出する肌当接面が固定後端部の側から固定前端部の側に向かって末広がりに延びているから、尿が可動部の外側に排泄されることはなく、排泄された尿の横方向への流動が防漏シートの可動部によって阻止され、両側部からの尿の漏れを防ぐことができる。
【図面の簡単な説明】
【００１０】
【図１】一例として示す着用物品の斜視図。
【図２】股下域の一部を省略して示す図１の２−２線矢視断面図。
【図３】図１の３−３線端面図。
【図４】図１の４−４線端面図。
【図５】図１の５−５線端面図。
【図６】前胴周り域の側から示す着用途中の物品の部分破断斜視図。
【図７】後胴周り域の側から示す着用途中の物品の部分破断斜視図。
【図８】着用状態にあるときの可動部の頂点の位置を示す模式図。
【図９】着用状態にあるときの可動部の頂点の位置を示す模式図。
【発明を実施するための最良の形態】
【００１１】
添付の図面を参照し、本発明に係る使い捨て着用物品の詳細を説明すると、以下のとおりである。
【００１２】
図１，２は、一例として示す着用物品２０Ａの斜視図と、股下域２２の一部を省略して示す図１の２−２線矢視断面図とであり、図３，４は、図１の３−３線端面図と、図１の４−４線端面図とである。図５は、図１の５−５線端面図である。図１では、縦方向を矢印Ｌで示し、横方向を矢印Ｍで示す。なお、表面シート２９や裏面シート３０、防漏シート３４、端部シート４５の内面とは、コア３１に対向する面をいい、それらシート２９，３０，３４，４５の外面とは、コア３１に非対向の面をいう。
【００１３】
物品２０Ａは、縦方向に前胴周り域２１および後胴周り域２３と、それら胴周り域２１，２３の間に位置する股下域２２とを有し、前後胴周り域２１，２３に横方向へ延びる両端部２４，２５と、前後胴周り域２１，２３間に縦方向へ延びる両側部２６とを有する。物品２０Ａは、着用者の肌に対向する肌当接面２７と、着用者の肌に非対向の肌非当接面２８とを有する。物品２０Ａは、肌当接側に位置する透液性表面シート２９と、肌非当接側に位置する不透液性裏面シート３０と、それらシート２９，３０の間（肌当接面２７と肌非当接面２８との間）に介在して前後胴周り域２１，２３および股下域２２に配置された吸液性コア３１とから形成されている。股下域２２の両側部２６は、横方向内方へ向かって弧を画いている。物品２０Ａは、図１に示すように、その平面形状が砂時計型である。この物品２０Ａは、着用時に前後胴周り域２１，２３を連結するオープン型である。
【００１４】
両端部２４，２５には、横方向へ延びる複数条の胴周り用弾性部材３２が伸縮可能に取り付けられている。両側部２６には、縦方向へ延びる複数条の脚周り用弾性部材３３が伸縮可能に取り付けられている。両側部２６には、前後胴周り域２１，２３間に配置されて縦方向へ延びる一対の液抵抗性防漏シート３４が取り付けられている。表面シート２９には、親水性繊維不織布３５が使用されている。裏面シート３０には、互いに重なり合う２枚の疎水性繊維不織布３６，３７をラミネートした複合不織布が使用されている。コア３１は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。ゆえに、コア３１は、その剛性が表裏面シート２９，３０のそれよりも高い。コア３１は、その型崩れやポリマーの脱落を防止するため、全体がティッシュペーパー（図示せず）に包被されている。コア３１は、ティッシュペーパーを介して表裏面シート２９，３０の内面に接合されている。ポリマーには、デンプン系、セルロース系、合成ポリマー系のそれが使用されている。物品２０Ａでは、表面シート２９の外面と防漏シート３４の外面とが肌当接面２７を形成し、裏面シート３０の外面が肌非当接面２８を形成している。
【００１５】
防漏シート３４には、疎水性繊維不織布３８が使用されている。それら防漏シート３４は、両側部２６に位置して縦方向へ延びる固定部３９と、固定部３９に並行して縦方向へ延びていて表面シート２９の外面（肌当接面２７）から上方へ起立性向を有する伸縮性可動部４０と、端部２４に位置して物品２０Ａの横方向外方へ倒伏した固定前端部４１と、端部２５に位置して物品２０Ａの横方向内方へ倒伏した固定後端部４２とから形成されている。可動部４０の頂点４３どうしは、横方向へ所定寸法離間対向し、それらの横方向の離間寸法が固定後端部４２の側から固定前端部４１の側に向かって次第に大きくなっている。頂点４３どうしの間では、表面シート２９の外面（肌当接面２７）が露出し、露出した表面シート２９が固定後端部４２の側から固定前端部４１の側に向かって末広がりに延びている。頂点４３どうしの間から露出する表面シート２９の平面形状は、固定後端部４２から固定前端部４１に向かって逆三角形である。固定前端部４１どうしは、横方向へ所定寸法離間している。固定後端部４２どうしは、横方向へわずかに離間し、それらの後端縁が互いに当接している。
【００１６】
可動部４０の頂点４３には、縦方向へ延びる伸縮性弾性部材４４が伸縮可能に取り付けられている。弾性部材４４は、縦方向へ所定の倍率に伸長させた状態で不織布３８に接合されている。固定後端部４２と端部４２の側に延びる可動部４０とには、可動部４０どうしを横方向へ引き寄せる矩形の液抵抗性端部シート４５（伸縮性端部シート）が伸縮可能に取り付けられている。防漏シート３４では、物品２０Ａが表面シート２９を内側にして縦方向へ湾曲すると、弾性部材４４が収縮して可動部４０が表面シート２９の外面から上方へ起立し、可動部４０が尿や大便の横方向への流動を阻止する障壁を形成する。固定後端部４２の側に延びる可動部４０と表面シート２９との間には、物品２０Ａの着用中に排泄された大便が納まる大便収容空間４６が形成されている。
【００１７】
端部シート４５は、可動部４０の間と固定後端部４２の間とに位置して横方向へ延びている。端部シート４５は、疎水性繊維不織布４７と、不織布４７に伸縮可能に取り付けられた複数条の伸縮性弾性部材４８とから形成されている。弾性部材４８は、可動部４０の間に位置して横方向へ延びている。弾性部材４８は、横方向へ所定の倍率に伸長させた状態で不織布４７に接合されている。端部シート４５は、固定両端部４９と、固定両端部４９の間に延びていて表面シート２９や防漏シート３４に非接合の自由中間部５０と、固定後端部４２の間を横断する固定側部５１とを有する。固定両端部４９は、表面シート２９の外面と固定部３９の内面とに接合され、さらに、可動部４０の内面に接合されている。固定側部５１は、表面シート２９の外面と固定後端部４２の内面とに接合されている。可動部４０に対する固定両端部４９の接合時では、端部シート４５を横方向へ所定の倍率に伸長させた状態にある。ゆえに、端部シート４５は、可動部４０の間に延びる自由中間部５０の部位５２が横方向へ伸縮可能である。表面シート２９と端部シート４５との間には、固定後端部４２から股下域２２の縦方向中央に向かって口を開けるポケット５３が形成されている。
【００１８】
両端部２４，２５は、コア３１の端縁５４から縦方向外方へ延びる表裏面シート２９，３０の端部５５，５６と防漏シート３４の端部４１，４２とから形成されている。両端部２４，２５では、表裏面シート２９，３０の端部５５，５６が互いに重なり合った状態で、それらシート２９，３０の内面どうしが接合されている。防漏シート３４の固定前端部４１は、前胴周り域２１に位置して固定部３９の外面に接合されている。防漏シート３４の固定後端部４２は、後胴周り域２３に位置して端部シート４５の外面に接合されている。胴周り用弾性部材３２は、裏面シート３０を形成する不織布３６，３７の間に介在し、横方向へ所定の倍率に伸長させた状態でそれら不織布３６，３７に接合されている。
【００１９】
両側部２６は、コア３１の側縁５７から横方向外方へ延びる表裏面シート２９，３０の側部５８，５９と防漏シート３４の固定部３９とから形成されている。両側部２６では、表面シート２９の側部５８がコア３１の側縁５７から横方向外方へわずかに延び、側部５８からさらに横方向外方へ裏面シート３０の側部５９と防漏シート３４の固定部３９とが延びている。両側部２６では、表裏面シート２９，３０の側部５８，５９と防漏シート３４の固定部３９とが重なり合い、表裏面シート２９，３０の内面どうしが接合され、表裏面シート２９，３０の内外面と防漏シート３４の内面とが接合されている。脚周り用弾性部材３３は、裏面シート３０を形成する不織布３６，３７の間に介在し、縦方向へ所定の倍率に伸長させた状態でそれら不織布３６，３７に接合されている。
【００２０】
後胴周り域２３の両側部２６には、プラスチックフィルムから形成された可撓性のテープファスナ６０が取り付けられている。テープファスナ６０は、横方向へ延びる固定端部６１と自由端部６２とを有する。固定端部６１は、裏面シート３０の側部５９と防漏シート３４の固定部３９との間に介在し、それらシート３０，３４の内面に接合されている。自由端部６２の内面には、複数のフックを有する雄型メカニカルファスナ６３が取り付けられている。なお、自由端部６２には、メカニカルファスナ６３ではなく、粘着剤が塗布されていてもよい。
【００２１】
前胴周り域２１には、テープファスナ６０の自由端部６２を着脱可能に止着する可撓性のターゲットテープ６４が取り付けられている。ターゲットテープ６４には、プラスチックフィルムとフィルムから突出する複数のループとから形成された雌型メカニカルファスナ６５が使用されている。ターゲットテープ６４は、裏面シート３０の外面に固着されている。テープファスナ６０の自由端部６２に粘着剤を塗布する場合は、ターゲットテープ６４にプラスチックフィルムが使用される。伸縮性端部シート４５の横方向Ｍの長さ寸法は、ターゲットテープ６４の横方向Ｍの長さ寸法よりも狭い。
【００２２】
図６，７は、前胴周り域２１の側から示す着用途中の物品２０Ａの部分破断斜視図と、後胴周り域２３の側から示す着用途中の物品２０Ａの部分破断斜視図とである。図８，９は、着用状態にあるときの可動部４０の頂点４３の位置を示す模式図である。図８は着用者の股間部を下方から見た図であり、図９は着用者を臀部の側から見た図である。この物品２０Ａを着用する手順の一例は、以下のとおりである。股下域２２の肌当接面２７に着用者の臀部を乗せ、股下域２２を折り曲げて前胴周り域２１を着用者の腹部の上に乗せる。次に、後胴周り域２３の両側部２６が着用者の腹部の上に位置するように、後胴周り域２３の両側部２６を前胴周り域２１の両側部２６の外側に重ね合わせ、テープファスナ６０の自由端部６２をターゲットテープ６４に止着し、前胴周り域２１と後胴周り域２３とを連結する。前後胴周り域２１，２３が連結された物品２０Ａには、胴周り開口と一対の脚周り開口とが形成される（図示せず）。
【００２３】
物品２０Ａでは、股下域２２に延びる防漏シート３４の可動部４０の頂点４３が着用者の股間部の付け根に近接または当接するとともに、股下域２２から後胴周り域２３に延びる可動部４０の頂点４３が着用者の臀部の割れ目に入って肛門の両側に近接または当接する。物品２０Ａでは、その着用中に排泄された大便が可動部４０の頂点４３間を通って大便収容空間４６に納まるとともに、ポケット５３に納まり、可動部４０と端部シート４５とが大便をその上方から包被する。可動部４０の頂点４３間に排泄された尿は、表面シート２９を透過してコア３１に吸収保持される。
【００２４】
物品２０Ａは、可動部４０の頂点４３どうしの離間寸法が股下域２２から後胴周り域２３に向かうにつれて次第に小さくなり、表面シート２９と防漏シート３４の可動部４０との間に大便収容空間４６が形成され、さらに、表面シート２９と端部シート４５との間にポケット５３が形成されているから、排泄された大便が空間４６とポケット５３とに納まり、股下域２２および後胴周り域２３に延びる防漏シート３４の可動部４０と端部シート４５とが排泄された大便をその上方から確実に包被する。物品２０Ａは、排泄された大便が可動部４０の間から露出し難く、大便が着用者の股間部や臀部に接触することはなく、股間部や臀部に対する大便の付着を防ぐことができ、大便による着用者の肌の汚れを防ぐことができる。物品２０Ａは、尿や大便の横方向への流動が防漏シート３４の可動部４０によって阻止され、両側部２６からの尿や大便の漏れを防ぐことができ、大便の縦方向への流動が端部シート４５によって阻止され、後胴周り域２３からの大便の漏れを防ぐことができる。
【００２５】
物品２０Ａは、横方向へ伸縮可能な部位５２を有する端部シート４５が防漏シート３４の可動部４０に収縮可能に取り付けられているから、物品２０Ａの着用中に着用者の動作によって固定後端部４２の側に延びる可動部４０が横方向へ動こうとしても、端部シート４５の収縮力が可動部４０の頂点４３どうしを股下域２２の横方向中央に常に位置させるように作用し、可動部４０の動きがシート４５の収縮力によって抑制される。物品２０Ａは、その着用中に固定後端部４２の側に延びる可動部４０がずれ動くことはなく、股間部の付け根や肛門の両側に対する可動部４０の頂点４３の近接状態または当接状態を維持することができるので、排泄された大便が可動部４０の頂点４３間を通って大便収容空間４６とポケット５３とに確実に収容される。
【００２６】
物品２０Ａでは、固定後端部４２の側に延びる可動部４０の頂点４３どうしの最小離間寸法Ｌ１（図１参照）が股下域２２に延びるコア３１の最小横寸法Ｌ３（図４参照）の０〜２５％の範囲、好ましくは０〜１０％の範囲、より好ましくは０〜５％の範囲にある。頂点４３どうしの最小離間寸法Ｌ１がコア３１の最小横寸法Ｌ３の２５％を超過すると、可動部４０が排泄された大便をその上方から十分に包被することができず、大便が可動部４０の間から露出し、大便が着用者の股間部や臀部に付着して着用者の肌が広範囲に汚れてしまう場合がある。物品２０Ａでは、固定前端部４１の側に延びる可動部４０の頂点４３どうしの最大離間寸法Ｌ２（図１参照）が股下域２２に延びるコア３１の最小横寸法Ｌ３（図４参照）の２６〜１２０％の範囲、好ましくは３０〜８０％の範囲にある。頂点４３どうしの最大離間寸法Ｌ２がコア３１の最小横寸法Ｌ３の２６％未満では、頂点４３どうしの離間寸法が不十分となり、尿が可動部４０の外側に排泄されてしまう場合がある。
【００２７】
なお、物品２０Ａが子供用の場合では、股下域２２に延びるコア３１の最小横寸法Ｌ３が概ね５〜９ｃｍの範囲にあり、頂点４３どうしの最小離間寸法Ｌ１が０〜２．２５ｃｍ、好ましくは０〜０．９ｃｍ、より好ましくは０〜０．４５ｃｍとなり、頂点４３どうしの最大離間寸法Ｌ２が１．３〜１０．８ｃｍ、好ましくは１．５〜７．２ｃｍとなる。また、物品２０Ａが大人用の場合では、股下域２２に延びるコア３１の最小横寸法Ｌ３が概ね１２〜２５ｃｍの範囲にあり、頂点４３どうしの最小離間寸法Ｌ１が０〜６．２５ｃｍ、好ましくは０〜２．５ｃｍ、より好ましくは０〜１．２５ｃｍとなり、頂点４３どうしの最大離間寸法Ｌ２が３．１２〜３０ｃｍ、好ましくは３．６〜２０ｃｍとなる。
【００２８】
表面シート２９には、親水性繊維不織布３５の他に、多数の開孔を有する疎水性繊維不織布を使用することができる。裏面シート３０や防漏シート３４、端部シート４５には、通気不透液性プラスチックフィルムを使用することもでき、通気不透液性プラスチックフィルムと疎水性繊維不織布とをラミネートした複合シートを使用することもできる。裏面シート３０や防漏シート３４、端部シート４５には、高い耐水性を有するメルトブローン法による繊維不織布の少なくとも片面に、高い強度と良好な柔軟性とを有するスパンボンド法による繊維不織布をラミネートした複合不織布（ＳＭ不織布、ＳＭＳ不織布）を使用することもできる。端部シート４５には、熱可塑性エラストマー樹脂を溶融、紡糸して作られる伸縮性繊維から形成された伸縮性繊維不織布を使用することもでき、伸縮性繊維不織布の少なくとも片面に捲縮繊維から形成された親水性繊維不織布を重ね合わせた複合不織布を使用することもできる。
【００２９】
繊維不織布には、スパンレース、ニードルパンチ、メルトブローン、サーマルボンド、スパンポンド、ケミカルボンドの各製法により製造された不織布を使用することができる。親水性繊維不織布は、親水化処理が施された合成繊維、半合成繊維、再生繊維のうちのいずれか、または、それら繊維を混合した複合繊維から作ることができる。疎水性繊維不織布は、合成繊維から作ることができる。疎水性繊維不織布には、撥水処理が施された半合成繊維や再生繊維が含まれていてもよい。合成繊維には、特に限定はないが、ポリエステル系、ポリアクリロニトリル系、ポリ塩化ビニル系、ポリエチレン系、ポリプロピレン系、ポリスチレン系を使用することができる。合成繊維には、芯鞘型複合繊維、並列型複合繊維、異型中空繊維、微多孔繊維、接合型複合繊維を使用することもできる。
【００３０】
シート２９，３０，３４，４５どうしの接合やシート２９，３０に対するコア３１の接合、シート３４，４５や不織布３６，３７，４７に対する弾性部材３２，３３，４４，４８の接合には、接着剤を使用することができる。接着剤は、シート２９，３０，３４，４５や不織布３６，３７，４７にスパイラル状や波状、ジグザグ状、ドット状、縞状のうちのいずれかの態様で塗布されていることが好ましい。接着剤をそれらの態様でシート２９，３０，３４，４５や不織布３６，３７，４７に塗布すると、それらシート２９，３０，３４，４５どうしが断続的に固着され、コア３１がシート２９，３０に断続的に接合されるとともに、弾性部材３２，３３，４４，４８がシート３４，４５や不織布３６，３７，４７に断続的に固着される。接着剤には、ホットメルト型接着剤やアクリル系接着剤、ゴム系接着剤のいずれかを使用することができる。
【符号の説明】
【００３１】
２０Ａ    使い捨て着用物品
２１      前胴周り域
２２      股下域
２３      後胴周り域
２４      端部
２５      端部
２６      両側部
２７      肌当接面
２８      肌非当接面
２９      透液性表面シート
３０      不透液性裏面シート
３１      吸液性コア
３４      液抵抗性防漏シート
３９      固定部
４０      伸縮性可動部
４１      固定前端部
４２      固定後端部
４３      頂点
４４      伸縮性弾性部材
４５      液抵抗性端部シート（伸縮性端部シート）
４６      大便収容空間
４８      伸縮性弾性部材
４９      固定両端部
５０      自由中間部
５１      固定側部
５２      部位
５３      ポケット
Ｌ１      最小離間寸法
Ｌ２      最大離間寸法
【図１】
2011104397.tif 000003
【図２】
2011104397.tif 000004
【図３】
2011104397.tif 000005
【図４】
2011104397.tif 000006
【図５】
2011104397.tif 000007
【図６】
2011104397.tif 000008
【図７】
2011104397.tif 000009
【図８】
2011104397.tif 000010
【図９】
2011104397.tif 000011